(57)【要約】【課題】増幅器や光伝送装置にノイズ混入があった場合、どの分岐から混入しているのか特定するには手間や時間がかかった。【解決手段】幹線入力端子及び幹線出力端子と、幹線入力端子から入力されたＲＦ信号の一部を分岐可能な分岐部と、分岐されたＲＦ信号を必要数に分配可能な分配部と、分配されたＲＦ信号が出力される分岐端子とを設け、幹線入力端子と分岐部との間に、入力されたＲＦ信号に重畳されている電力によって開又は閉するスイッチを設け、分岐端子と分配部との間に、入力されたＲＦ信号に重畳されている電力によって開又は閉するスイッチを設けた。前記スイッチに代えて、減衰器及びこれを迂回する迂回路と、入力された下り信号に重畳されている電力によって減衰器側又は迂回路側に切替え接続されるスイッチとを設けた。【選択図】　　図１
2004032101.tif 000002
【特許請求の範囲】
【請求項１】
幹線入力端子及び幹線出力端子と、幹線入力端子から入力されたＲＦ信号の一部を分岐可能な分岐部と、分岐部によって分岐されたＲＦ信号を必要数に分配可能な分配部と、分配部によって分配されたＲＦ信号が出力される分岐端子とを備えたＣＡＴＶ用タップオフにおいて、幹線入力端子と分岐部との間に、幹線入力端子から入力されたＲＦ信号に重畳されている電力によって開又は閉して、ＲＦ信号を断続させるスイッチが設けられ、分岐端子と分配部との間に、分岐端子から入力されたＲＦ信号に重畳されている電力によって開又は閉して、ＲＦ信号を断続させるスイッチが設けられたことを特徴とするＣＡＴＶ用タップオフ。
【請求項２】
幹線入力端子及び幹線出力端子と、幹線入力端子から入力されたＲＦ信号の一部を分岐可能な分岐部と、分岐部によって分岐されたＲＦ信号を必要数に分配可能な分配部と、分配部によって分配されたＲＦ信号が出力される分岐端子とを備えたＣＡＴＶ用タップオフにおいて、幹線入力端子と分岐部との間に、減衰器及びこれを迂回する迂回路と、幹線入力端子から入力されたＲＦ信号に重畳されている電力によって減衰器側又は迂回路側に切替え接続されるスイッチとが設けられ、分岐端子と分配部との間に、減衰器及びこれを迂回する迂回路と、分岐端子から入力されたＲＦ信号に重畳されている電力によって減衰器側又は迂回路側に切替え接続されるスイッチとが設けられたことを特徴とするＣＡＴＶ用タップオフ。
【発明の詳細な説明】
【０００１】
【発明の属する技術分野】
本発明はＣＡＴＶ用タップオフに関するものであり、特に、増幅器や光伝送機器の各分岐出力端子に接続して用いるのに適したものである。
【０００２】
【従来の技術】
一般的なＣＡＴＶ用タップオフは、少なくとも幹線入力端子と、幹線出力端子と、分岐端子とを備え、幹線入力端子から入力された下り信号が分波されて各分岐端子に出力されると共に、各分岐端子から入力された上り信号が合波されて幹線入力端子に出力される。このようなＣＡＴＶ用タップオフは、例えば図３示すような増幅器に接続して用いられる。図３に示す増幅器は複数の分岐出力端子Ａ〜Ｄを備え、ＣＡＴＶ用タップオフは前記分岐出力端子Ａ〜Ｄに接続されて、該分岐出力端子Ａ〜Ｄから出力された下り信号をさらに分岐して各端末に伝送したり、各端末から上げってきた上り信号を合波して該分岐出力端子Ａ〜Ｄに入力したりする。
【０００３】
【発明が解決しようとする課題】
増幅器や光伝送装置の分岐出力端子に夫々タップオフが接続されている状態でノイズの混入が発生すると、各分岐出力端子に接続されているＣＡＴＶ用タップオフを順次外して混入個所を特定しなければならず、手間や時間がかかった。尚、増幅器や光伝送装置の分岐側の上り帯域にはゲートスイッチや減衰器（ＡＴＴ）が配備されている場合もあるが、各分岐毎にゲートスイッチや減衰器が配備されていることは少ない。
【０００４】
【課題を解決するための手段】
本発明は、前記課題に鑑みてなされたものであり、その目的は前記課題を解決することにある。
【０００５】
本発明のＣＡＴＶ用タップオフの一つは、幹線入力端子及び幹線出力端子と、幹線入力端子から入力されたＲＦ信号の一部を分岐可能な分岐部と、分岐部によって分岐されたＲＦ信号を必要数に分配可能な分配部と、分配部によって分配されたＲＦ信号が出力される分岐端子とを備えたＣＡＴＶ用タップオフにおいて、幹線入力端子と分岐部との間に、幹線入力端子から入力されたＲＦ信号に重畳されている電力によって開又は閉して、ＲＦ信号を断続させるスイッチが設けられ、分岐端子と分配部との間に、分岐端子から入力されたＲＦ信号に重畳されている電力によって開又は閉して、ＲＦ信号を断続させるスイッチが設けられたものである。
【０００６】
本発明のＣＡＴＶ用タップオフの他の一つは、幹線入力端子及び幹線出力端子と、幹線入力端子から入力されたＲＦ信号の一部を分岐可能な分岐部と、分岐部によって分岐されたＲＦ信号を必要数に分配可能な分配部と、分配部によって分配されたＲＦ信号が出力される分岐端子とを備えたＣＡＴＶ用タップオフにおいて、幹線入力端子と分岐部との間に、減衰器及びこれを迂回する迂回路と、幹線入力端子から入力されたＲＦ信号に重畳されている電力によって減衰器側又は迂回路側に切替え接続されるスイッチとが設けられ、分岐端子と分配部との間に、減衰器及びこれを迂回する迂回路と、分岐端子から入力されたＲＦ信号に重畳されている電力によって減衰器側又は迂回路側に切替え接続されるスイッチとが設けられたものである。
【０００７】
【発明の実施の形態】
（実施形態１）
本発明のＣＡＴＶ用タップオフの一実施例を図１に基づいて説明する。図１に示すＣＡＴＶ用タップオフは、ＲＦ信号が入出力される幹線入力端子１、幹線出力端子２、分岐端子３を備えている。前記幹線入力端子１から入力されたＲＦ信号は、該端子１と幹線出力端子２とを結ぶ幹線４の途中に配置された分岐部５によってその一部が分岐される。さらに、分岐されたＲＦ信号は分配部６で４分配され、該分配部６と各分岐端子３とを結ぶ各分岐線７に出力される。一方、各分岐端子３から入力されたＲＦ信号は、各分岐線７を介して分配部６に入力されて合波され、分岐部５によって幹線４に合流されて幹線入力端子１に出力される。
【０００８】
前記幹線４上であって、幹線入力端子１と分岐部５との間には、該端子１から入力されたＲＦ信号に重畳されている電力を分離可能な幹線分離フィルタ８と、該フィルタ８によって分離された電力によって開状態となる幹線スイッチ９が設けられている。また、前記各分岐線７上であって、各分岐端子３と分配部６との間には、各分岐端子３から入力されたＲＦ信号に重畳されている電力を分離可能な分岐線分離フィルタ１０と、該フィルタ１０によって分離された電力によって開状態となる分岐線スイッチ１１が設けられている。
【０００９】
以下、前記構成を備えた本発明のＣＡＴＶ用タップオフの動作を説明する。幹線入力端子１から入力されるＲＦ信号に電力が重畳されておらず、各分岐端子３から入力されるＲＦ信号にも電力が重畳されていない場合（常態）では、図中のスイッチ９、１０が全て閉状態となる。従って、幹線入力端子１から入力されたＲＦ信号は、幹線分離フィルタ８及び幹線スイッチ９を通過して（幹線４を介して）分岐部５に入力され、該分岐部５でその一部が分岐されて分配部６に入力され、残りは幹線出力端子２に出力される。分配部６に入力されたＲＦ信号は該分配部６で４分配され、分岐線スイッチ１０及び分岐線分離フィルタ１１を通過して（各分岐線７を介して）各分岐端子３に出力される。一方、各分岐端子３から入力されたＲＦ信号は、分岐線分離フィルタ１１及び分岐線スイッチ１０を通過して（各分岐線７を介して）分配部６に入力され、該分配部６で合波される。合波されたＲＦ信号は分岐部５によって幹線４に合流され、幹線入力端子１に出力される。
【００１０】
一方、幹線入力端子１から入力されるＲＦ信号に電力が重畳されている場合には、前記幹線スイッチ９が開状態となる。この結果、幹線入力端子１から入力されたＲＦ信号は各分岐端子３に出力されず、各分岐端子３から入力されたＲＦ信号は幹線入力端子１に出力されない。従って、図３に示す増幅器の各分岐出力端子Ａ〜Ｄに図１に示すＣＴＡＶ用タップオフを接続しておけば、いずれのタップオフからノイズが混入しているのかを容易に判別できる。具体的には、ノイズの混入時に増幅器の各分岐出力端子Ａ〜Ｄ毎に設けられているＰＯＷＥＲ　ＳＷを順次ＯＮにして、各タップオフに入力されるＲＦ信号に順次電力を重畳する。すると、各タップオフの幹線スイッチ９が順次開状態となり、幹線スイッチ９が閉状態となったタップオフからのＲＦ信号が断絶される。この結果、あるタップオフからのＲＦ信号を断絶したときにノイズが減少すれば、該タップオフからノイズが混入していることが判別する。
【００１１】
また、図２に示すいずれかの分岐端子３から入力されるＲＦ信号に電力が重畳されている場合には、該分岐端子３に設けられた分岐線スイッチ１０が開状態となる。この結果、幹線入力端子１から入力されたＲＦ信号は該分岐端子３に出力されず、該分岐端子３から入力されたＲＦ信号は幹線入力端子１に出力されない。もっとも、他の分岐端子３には、幹線入力端子１から入力されたＲＦ信号が出力され、他の分岐端子３から入力されたＲＦ信号は幹線入力端子１に出力される。従って、図３に示す増幅器の各分岐出力端子Ａ〜Ｄに図１に示すＣＴＡＶ用タップオフを接続しておけば、前記のようにしてノイズが混入しているタップオフを特定し、さらに、そのタップオフのいずれの分岐端子３からノイズが混入しているのかも判別できる。具体的には、特定されたタップオフの各分岐端子３に入力されるＲＦ信号に順次電力を重畳して各分岐線スイッチ１０を順次開状態とする。すると、該分岐端子３からのＲＦ信号が断絶されるので、ある分岐端子３からのＲＦ信号を断絶したときにノイズが減少すれば、該端子３からノイズが混入していることが判別する。
【００１２】
尚、前記幹線スイッチ９及び分岐線スイッチ１０は、ＲＦ信号に電力が重畳されていない場合に開状態となり、電力が重畳されていると、その電力によって閉状態となってもよい。この場合、ノイズ混入個所を特定するには、ＲＦ信号に重畳されている電力を任意の手段によって一時的にカットする。
【００１３】
（実施形態２）
以下、本発明のＣＡＴＶ用タップオフの一実施例を説明する。ここに示すタップオフの基本構成は前記実施形態１に示すタップオフのそれと同一である。異なるのは、図２に示すように、図１の幹線スイッチ９及び分岐線スイッチ１０に代えて、減衰器（ＡＴＴ）２０及びこれを迂回する迂回路２１と、ＡＴＴ２０と迂回路２１とに切替え接続される２連スイッチ２２とを設けたものである。尚、図２には、図１に示した幹線スイッチ９に代わる減衰器２０、迂回路２１及び２連スイッチ２２を図示した。
【００１４】
前記各２連スイッチ２２は、入力されたＲＦ信号に電力が重畳されていると、該電力によって減衰器２０側に切替え接続され、電力が重畳されていないと迂回路２１側に切替え接続される。従って、２連スイッチ２２が減衰器２０側に切替え接続された場合は、図１のスイッチ９又は１０が開状態になった場合と同様に作用し、迂回路２１側に切替え接続された場合は、前記スイッチ９又は１０が閉状態になった場合と同様に作用する。
【００１５】
尚、前記各２連スイッチ２２は、入力されたＲＦ信号に電力が重畳されていると、該電力によって迂回路２１側に切替え接続され、電力が重畳されていないと減衰器２０側に切替え接続されてもよい。
【００１６】
【発明の効果】
増幅器や光伝送装置の各分岐出力端子に本発明のＣＴＡＶ用タップオフを接続しておけば、いずれのタップオフからノイズが混入しているのかを容易に特定できる。さらに、特定されたタップオフのどの端子からノイズが混入しているのかをも容易に特定できる。要は、配線を外したり、タップオフを外したりしなくても、前記特定が可能である。
【図面の簡単な説明】
【図１】本発明のＣＡＴＶ用タップオフの一実施例を示す説明図。
【図２】本発明のＣＡＴＶ用タップオフの一実施例を示す部分説明図。
【図３】２以上の分岐出力端子を備えた増幅器の一例を示す説明図。
【符号の説明】
１　幹線入力端子
２　幹線出力端子
３　分岐端子
４　幹線
５　分岐部
６　分配部
７　分岐線
８　幹線分離フィルター
９　幹線スイッチ
１０　分岐線スイッチ
１１　分岐線分離フィルター
【図１】
2004032101.tif 000003
【図２】
2004032101.tif 000004
【図３】
2004032101.tif 000005